(57)【要約】【課題】色鉛筆等の筆記具を交換可能に保持することができるペーパーウエイトを提供する。【解決手段】ペーパーウエイト１は、柱状の本体２および止めボルト３を有し、本体は、軸心方向に貫通する挿入孔４と、本体の外周から挿入孔に貫通し内面に雌ネジが設けられたボルト用孔５と、を備え、止めボルトは、雌ネジに螺合する雄ネジが設けられボルト用孔を挿入孔側に進入してその先端が挿入孔内に突出可能に形成されて、止めボルトの先端が直接または間接に保持対象物ＣＰの表面を押圧することにより保持対象物を保持する。【選択図】図２
0003155360.tif 000002
【実用新案登録請求の範囲】
【請求項１】
柱状の本体および止めボルトを有し、
前記本体は、
軸心方向に貫通する挿入孔と、
前記本体の外周から前記挿入孔に貫通し内面に雌ネジが設けられたボルト用孔と、を備え、
前記止めボルトは、
前記雌ネジに螺合する雄ネジが設けられ前記ボルト用孔を前記挿入孔側に進入してその先端が前記挿入孔内に突出可能に形成された
ことを特徴とするペーパーウエイト。
【請求項２】
さらに保持部および保持部の一端に連続する取付部からなる変形可能な板状の保持部材を有し、
前記保持部は、
前記ボルト用孔における前記挿入孔への開口部分にその一部が重なるように前記挿入孔内に配され、
前記取付部は、
前記挿入孔の外で前記本体に固定されている
請求項１に記載のペーパーウエイト。
【請求項３】
前記挿通孔は、
一方の開口から内方に軸心方向に伸び前記ボルト用孔が開口する溝を備え、
前記保持部は、
前記溝に入り込むことが可能な形状に形成された
請求項２に記載のペーパーウエイト。
【請求項４】
前記保持部は、
前記開口部分に対向する面とは逆側の面における前記挿入孔の開口部分に重なる部分から前記挿入孔内の端までの範囲が衝撃に対して緩衝作用を有する緩衝部材に覆われた
請求項２または請求項３に記載のペーパーウエイト。
【考案の詳細な説明】
【技術分野】
【０００１】
本考案は、例えば風による書類の飛散防止、または読書時における参照頁の重しに使用されるペーパーウエイトに関する。
【背景技術】
【０００２】
ペーパーウエイトは欧米を起源とし、近年、我が国においても、例えば、書類の飛散防止、辞書の参照する頁を開いておくための重し等として使用されている。ペーパーウエイトは、適度な重さと座りの良さがあればデザインの自由度が高く、種々の形状のものが文具としてまたは記念品等として販売されている。
ところで、ペーパーウエイトは、読書、事業所等における書類および書籍等を扱う業務、または学生等の学習に主に使用される。そのため、筆記具の機能を付加したペーパーウエイトが提案されている（特許文献１）。
【先行技術文献】
【特許文献】
【０００３】
【特許文献１】特開昭５１−８０４２２号公報
【考案の概要】
【考案が解決しようとする課題】
【０００４】
ペーパーウエイトが使用される状況下、つまり読書、事業所等における書類および書籍等を扱う業務、または学生等の学習等では、蛍光マーカー、色鉛筆等を使用して、興味を引く表現に下線等を付し、書類等の重要な部分にしるしを付け、および参考書の記憶すべき部分を囲むことがなされる。このようなとき、色鉛筆は、色揃えが豊富であり、蛍光マーカー等のように紙へのしみ込みがないことから、特に例えば辞書に使用されるような薄手の紙に線を引く等の用途に適する。
【０００５】
一方、色鉛筆は、一般に断面形状が円であり転がり易く、書類等の陰に入り込んですぐには見つからないことが、日常よく生ずる。
本考案は、上述の問題に鑑みてなされたもので、色鉛筆等の筆記具を交換可能に保持することができるペーパーウエイトを提供することを目的とする。
【課題を解決するための手段】
【０００６】
本考案に係るペーパーウエイトは、柱状の本体および止めボルトを有し、前記本体は、軸心方向に貫通する挿入孔と、前記本体の外周から前記挿入孔に貫通し内面に雌ネジが設けられたボルト用孔と、を備え、前記止めボルトは、前記雌ネジに螺合する雄ネジが設けられ前記ボルト用孔を前記挿入孔側に進入してその先端が前記挿入孔内に突出可能に形成される。
【０００７】
好ましくは、さらに保持部および保持部の一端に連続する取付部からなる変形可能な板状の保持部材を有し、前記保持部は、前記ボルト用孔における前記挿入孔への開口部分にその一部が重なるように前記挿入孔内に配され、前記取付部は、前記挿入孔の外で前記本体に固定される。
好ましくは、前記挿通孔は、一方の開口から内方に軸心方向に伸び前記ボルト用孔が開口する溝を備え、前記保持部は、前記溝に入り込むことが可能な形状に形成される。
【０００８】
さらに好ましくは、前記保持部は、前記開口部分に対向する面とは逆側の面における前記挿入孔の開口部分に重なる部分から前記挿入孔内の端までの範囲が衝撃に対して緩衝作用を有する緩衝部材に覆われる。
【考案の効果】
【０００９】
本考案のペーパーウエイトは、色鉛筆等の筆記具を交換可能に保持することができるペーパーウエイトを提供することができる。
【図面の簡単な説明】
【００１０】
【図１】図１はペーパーウエイトの外観を示す図である。
【図２】図２はペーパーウエイトの断面を示す図である。
【図３】図３は他のペーパーウエイトの概要を示す図である。
【図４】図４は図３のペーパーウエイトの右側面図である。
【図５】図５は他のペーパーウエイトの正面部分断面図である。
【考案を実施するための形態】
【００１１】
図１はペーパーウエイト１の外観を示す図、図２はペーパーウエイト１の断面を示す図である。図１（ｂ）は図１（ａ）のペーパーウエイト１の右側面図であり、図２（ｂ）は図２（ａ）のペーパーウエイト１のＡ−Ａ矢視断面図である。
ペーパーウエイト１は、本体２および止めボルト３からなる。
本体２は、外観が細長い六角柱であり、長手方向の一方の端における形状が円錐台（テーパ状）となっている。この円錐台状の部分をテーパ部１１という。本体２には、その軸心を含み長手方向に貫通する挿入孔４が設けられている。挿入孔４の断面形状は円である。
【００１２】
また、本体２は、テーパ部１１よりも少し内方に、挿入孔４の軸心に直交する軸心を有するボルト用孔５を備える。ボルト用孔５には、雌ネジが設けられている。
本体２は、重さを確保するために金属で製作されるのが好ましく、図１に示される本体２は真鍮で製作される。本体２の表面には、立体的な模様があしらわれている。
止めボルト３は、頭部１２およびねじ部１３で構成される。頭部１２は、全体として円柱状であり、外周には手で容易に回転させることができるように、ローレット加工が施されている。ねじ部１３は、周面に雄ネジが設けられた円柱状の部分であり、その軸心を頭部１２の軸心に一致させて頭部の一方の端面から突出する。この雄ネジは、ボルト用孔５に設けられた雌ネジに螺合する。
【００１３】
止めボルト３の頭部１２における、ねじ部１３が連続する側とは逆側の端面には、カットが工夫された飾りガラス１４が嵌め込まれている。なお、本体２におけるテーパ部１１とは反対側の端近傍にも、同じ飾りガラス１４が取り付けられている。以下、本体２におけるテーパ部１１の反対側の端を尾端１５という。
止めボルト３は、ボルト用孔５に螺合されて本体２と一体化されている。
【００１４】
次に、ペーパーウエイト１に色鉛筆ＣＰを保持させる作業を説明する。
はじめに、止めボルト３におけるねじ部１３の先端が挿入孔４内に出ていないことを確認する。ねじ部１３の先端が挿入孔４内に出ているときは、先端が挿入孔４内から抜け出るまで止めボルト３を回転させ後退させる。
図２を参照して、色鉛筆ＣＰが、芯を露出させた一方の端をテーパ部１１側から外方に突き出るように、挿入孔４内に挿入される。挿入孔４内に挿入された色鉛筆ＣＰの位置が決められたら、止めボルト３を、ねじ部１３の先端が色鉛筆ＣＰの表面に突き当たり軽く色鉛筆ＣＰを押圧する程度まで進入方向に回転させる。
【００１５】
以上の作業を行うことにより、色鉛筆ＣＰはペーパーウエイト１（の挿入孔４内）に保持される。
ペーパーウエイト１から色鉛筆ＣＰを取り外す作業は、上記作業を逆の順序で行えばよい。すなわち、止めボルト３を、ねじ部１３がボルト用孔５内を後退する方向に回転させ、ねじ部１３の先端による色鉛筆ＣＰへの押圧を解除することにより、挿入孔４から色鉛筆ＣＰを抜き出す。
【００１６】
一般に、ペーパーウエイトは簡単に転がらない座りが良い形状であり、本考案に係るペーパーウエイト１もそのような形状が選択される。したがって、転がって移動しないペーパーウエイト１に一体化された色鉛筆ＣＰは、単独で使用される場合に比べて紛失しにくい。また、ペーパーウエイト１に保持された色鉛筆ＣＰは、書類または書籍に下線またはしるしを付す程度の作業に支障なく使用することができる。
【００１７】
図３は他のペーパーウエイト１Ｂの概要を示す図、図４は図３のペーパーウエイト１Ｂの右側面図である。ここで、図３（ａ）はペーパーウエイト１Ｂの正面断面図、図３（ｂ）は図３（ａ）のペーパーウエイト１Ｂの尾端１５近傍の平面図である。図４（ｂ）はペーパーウエイト１Ｂが色鉛筆ＣＰを保持したときの右側面図である。
ペーパーウエイト１Ｂは、本体２Ｂ、保持部材６Ｂおよび止めボルト３からなる。
【００１８】
本体２Ｂは、その外観が上に説明したペーパーウエイト１における外観と略同一である。本体２Ｂには、軸心を含み長手方向に貫通する挿入孔４Ｂが設けられている。挿入孔４Ｂは、断面形状が円である。挿入孔４Ｂには、尾端１５から長手方向の略中央まで伸びた、平らな底１６Ｂおよび所定の幅を有する溝７Ｂが設けられている。溝７Ｂは、その底１６Ｂが平らであって、後に説明するボルト用孔５Ｂの軸心に直交する。溝７Ｂの底１６Ｂと挿入孔４Ｂの軸心との距離Ｄは、挿入孔４Ｂの半径ｒよりも大きい。なお、溝７Ｂの「所定の幅」とは、後に説明する保持部材６Ｂの保持部２１Ｂにおける幅よりも若干大きな幅をいう。
【００１９】
本体２Ｂは、溝７Ｂの内方端の近傍における尾端１５側に、挿入孔４の軸心に直交する軸心を有するボルト用孔５Ｂを備える。ボルト用孔５Ｂは、本体２Ｂにおける位置を除き、ペーパーウエイト１におけるボルト用孔５と同一のものである。
本体２Ｂの尾端１５近傍には、尾端１５において溝７Ｂから本体２Ｂの周面に続く保持部材嵌合溝１７Ｂが設けられている。保持部材嵌合溝１７Ｂは、尾端１５および尾端１５の直近における本体２Ｂの周面では、溝７Ｂの幅よりも若干幅が狭く、本体２Ｂの周面における終端近傍においてその幅が大きく拡がる。この本体２Ｂの周面における終端近傍の幅が大きく拡がる保持部材嵌合溝１７Ｂの一部分を、取付溝１８Ｂという。
【００２０】
取付溝１８Ｂには、挿入孔４Ｂの底１６Ｂに向けて雌ネジを有する取付孔１９Ｂが設けられている。
保持部材６Ｂは、保持部２１Ｂおよび取付部２２Ｂからなり、全体として薄板状である。保持部２１Ｂは、細長い短冊状であり、一端で取付部２２Ｂに連続する。保持部２１Ｂは、取付部２２Ｂに連続する近傍で略１８０度折り曲げられている。保持部２１Ｂは、略１８０度折り曲げられた部分を除き平らであり、その長さは本体２Ｂにおける溝７Ｂの長さよりも若干短い。また、保持部２１Ｂは、その幅が溝７Ｂの幅よりも僅かに小さい。
【００２１】
保持部２１Ｂの幅は、その厚さおよび材質を考慮し、ボルト用孔５Ｂに螺合された止めボルト３により弾性変形可能な程度に決定される。
取付部２２Ｂは、本体２Ｂにおける取付溝１８Ｂと略同じ形状（矩形）であり、取付溝１８Ｂにおける取付孔１９Ｂに対応する位置に、貫通孔２０Ｂを備える。
保持部材６Ｂは、保持部２１Ｂにおける平らな部分が溝７Ｂに沿って挿入孔４Ｂに挿入されている。保持部２１Ｂにおける略１８０度折り曲げられた部分は、尾端１５の保持部材嵌合溝１７Ｂに嵌め入れられている。取付部２２Ｂは、取付溝１８Ｂに嵌め入れられている。保持部材６Ｂは、ビス２３Ｂが貫通孔２０Ｂを貫通させて取付孔１９Ｂに螺合されることにより、本体２Ｂに取り付けられる。
【００２２】
保持部材６Ｂは、弾性を有する金属の板材で形成され、ペーパーウエイト１Ｂでは板バネに使用されるステンレス鋼（ＳＵＳ３０４）が用いられる。
止めボルト３は、ペーパーウエイト１における止めボルト３と同じものである。
ペーパーウエイト１Ｂにおけるペーパーウエイト１と同一の構成を有する部分については、図３および図４においてペーパーウエイト１におけるものと同じ符合を付し、その説明を省略する。
【００２３】
ペーパーウエイト１Ｂには、色鉛筆ＣＰが次のようにして取り付けられる。
止めボルト３が、その先端がボルト用孔５Ｂ内に収容される程度まで後退側に回転される。止めボルト３の先端がボルト用孔５Ｂ内に収容されるかどうかは、止めボルト３の頭部１２の本体２Ｂからの高さで予測可能である。
色鉛筆ＣＰが、芯が露出する一端を先にして、尾端１５側から挿入孔４Ｂに挿入される。色鉛筆ＣＰが挿入孔４Ｂに挿入されると、保持部材６Ｂの保持部２１Ｂは、溝７Ｂ内に嵌り込む。保持部材６Ｂは、何も挿入孔４Ｂに挿入されていない状態で、保持部２１Ｂが溝７Ｂ内に嵌り込むように形成されていてもよい。
【００２４】
続いて、止めボルト３を、ねじ部１３の先端が保持部２１Ｂに突き当たり、保持部２１Ｂが軽く色鉛筆ＣＰを押圧する程度まで進入方向に回転させる。
以上の作業により、色鉛筆ＣＰは、保持部２１Ｂと挿入孔４Ｂの周面に挟まれ、ペーパーウエイト１（の挿入孔４Ｂ内）に保持される。
ペーパーウエイト１Ｂからの色鉛筆ＣＰの取り外しは、止めボルト３を、ねじ部１３がボルト用孔５Ｂ内を後退する方向に回転させ、保持部２１Ｂによる色鉛筆ＣＰへの押圧を解除することにより行われる。保持部２１Ｂによる押圧が解除された色鉛筆ＣＰは、挿入孔４Ｂから容易に抜き出すことができる。
【００２５】
図５は他のペーパーウエイト１Ｃの正面部分断面図である。図５（ｂ）は保持部材６Ｃの正面断面図である。
ペーパウエイト１Ｃは、保持部材６Ｃが異なることを除き、他の構成はペーパウエイト１Ｂにおけるものと同じである。以下、保持部材６Ｃの説明のみ行い、その他の構成については説明を省略する。
【００２６】
保持部材６Ｃは、保持部２１Ｃおよび取付部２２Ｂからなる。これらの基本的な構成はペーパウエイト１Ｂにおける保持部材６Ｂと同じである。
保持部２１Ｃは、取付部２２Ｂに連続する側とは反対側の端３１Ｃが、保持部２１Ｃに対して取付部２２Ｂが位置する方向、つまり挿入孔４Ｂ内において溝７Ｂの底１６Ｂ側となる方向（図５における上方）に湾曲している。
【００２７】
また、保持部２１Ｃは、湾曲する端３１Ｃを起点にして内方に所定の範囲における、端３１Ｃが湾曲する方向とは反対側の面が、衝撃に対して緩衝作用を有するシート材（緩衝部材３２Ｃという）に覆われている。緩衝部材３２Ｃは、ペーパウエイト１Ｃにおいては不織布が使用される。ここで「内方に所定の範囲」とは、保持部材６Ｃが本体２Ｂに取り付けられたとき、挿入孔４Ｂ内において止めボルト３の先端が押圧する保持部２１Ｃの位置を含む端３１Ｃからの範囲をいう。
【００２８】
ペーパーウエイト１Ｃは、先に説明したペーパーウエイト１Ｂと同じ作業により色鉛筆ＣＰを取り付けることができ、取り外すことができる。
ペーパーウエイト１Ｃは、端３１Ｃが色鉛筆ＣＰを押圧する側とは逆側に湾曲し、かつ色鉛筆ＣＰを押圧する保持部２１Ｃの面が緩衝部材３２Ｃで形成されているので、色鉛筆ＣＰを保持するときに色鉛筆ＣＰの表面を傷つけるおそれがない。
【００２９】
ペーパーウエイト１，１Ｂ，１Ｃには、上述した色鉛筆ＣＰの保持の他に、通常の黒鉛を芯とする鉛筆、ボールペン、マーカー等の筆記具を保持させることができる。
上述の実施形態において、止めボルトとして、蝶ボルト、六角穴付ボルトまたは六角穴付止めねじを使用することができる。
ペーパーウエイト１Ｂ，１Ｃにおいて、本体２Ｂに溝７Ｂを設けるのではなく、挿通孔４Ｂの径を、挿通孔４Ｂに筆記具とともに保持部２１Ｂ，２１Ｃを収容可能な程度に、保持対象の筆記具の外径または外接円の径よりも大きくしてもよい。そのようにペーパーウエイトを形成しても、筆記具を一体に保持することができる。
【００３０】
また、ペーパーウエイト１Ｂ，１Ｃにおける本体２Ｂの溝７Ｂは、その底１６Ｂが平らであることが好ましいが、平ら以外の形態としてもペーパーウエイト１Ｂ，１Ｃを構成することができる。
その他、ペーパーウエイト１，１Ｂ，１Ｃ、およびペーパーウエイト１，１Ｂ，１Ｃの各構成または全体の構造、形状、寸法、個数、材質などは、本考案の趣旨に沿って適宜変更することができる。
【産業上の利用可能性】
【００３１】
本考案は、例えば風による書類の飛散防止、または読書時における参照頁の重しに使用されるペーパーウエイトにに利用することができる。
【符号の説明】
【００３２】
１，１Ｂ，１Ｃ  ペーパーウエイト
２，２Ｂ  本体
３  止めボルト
４，４Ｂ  挿入孔
５，５Ｂ  ボルト用孔
６Ｂ，６Ｃ  保持部材
７Ｂ  溝
２１Ｂ，２１Ｃ  保持部
２２Ｂ  取付部
３２Ｃ  緩衝部材
【図１】
0003155360.tif 000003
【図２】
0003155360.tif 000004
【図３】
0003155360.tif 000005
【図４】
0003155360.tif 000006
【図５】
0003155360.tif 000007